(57)【要約】【課題】交換ユニットの前後方向の位置を微調整できて位置決めが容易であり、かつ交換ユニットを取り出しやすい分離型スロットマシンを提供すること。【解決手段】前記筐体ユニット１及び前記交換ユニット２に、交換ユニット２の前後方向の位置を調整するための位置調整手段５０を設け、この位置調整手段５０は、筐体側に設けられた筐体噛合手段５１と、交換ユニット側に設けられ前記筐体噛合手段５１に噛み合い可能な交換ユニット噛合手段５２とからなり、前記筐体噛合手段５１又は前記交換ユニット噛合手段５２のいずれかを回転させて、前記交換ユニット２の位置を前後方向に移動可能に形成した。【選択図】    図１
2004229768.tif 000002
【特許請求の範囲】
【請求項１】
正面側に開口する筺体ユニットと、
筐体ユニットの開口部を開閉自在に塞ぐ前扉と、
複数の図柄が表示された回転リール及びこの回転リールを回転させるための駆動モータを有するリールユニットと、
遊技メダルを払い出すための払い出し装置と、
前記回転リール及び払い出し装置の作動を制御するための制御装置と、
電源装置とを少なくとも有し、
少なくとも前記リールユニット及び制御装置を支持体に設置した交換ユニットを、筐体ユニット内部に着脱自在に形成した分離型スロットマシンにおいて、
前記筐体ユニット及び前記交換ユニットに、交換ユニットの前後方向の位置を調整するための位置調整手段を設け、
この位置調整手段は、筐体ユニット内側に設けられた筐体噛合手段と、交換ユニットの支持体に設けられ前記筐体噛合手段に噛み合い可能な交換ユニット噛合手段とからなり、
前記筐体噛合手段又は前記交換ユニット噛合手段のいずれかを回転させて、前記交換ユニットを前後方向に移動可能に形成したことを特徴とする分離型スロットマシン。
【請求項２】
前記筐体ユニットは、前記交換ユニットを下方から支持する載置手段を有し、
前記交換ユニット下面には、前記載置手段の上面に接触し交換ユニットを支持するとともに前後方向の移動を補助するためのガイド手段を有し、
前記位置調整手段は、正面側から回転操作可能に形成されていることを特徴とする請求項１記載の分離型スロットマシン。
【発明の詳細な説明】
【０００１】
【発明の属する技術分野】
この発明は、遊技の部分を担当するリールユニット及び制御装置を交換ユニットとして、他の部分から分離可能に形成した分離型スロットマシンに関するものである。
【０００２】
【従来の技術】
従来のスロットマシンは、正面側に開口する筺形と、筐体の開口部を開閉自在に塞ぐ前扉とから成り、筐体の内部に、リールユニット、ホッパーユニット、遊技を司る基板等が固定設置され、全体が構成されていた。
このような、従来のスロットマシンにおいては、遊技内容を変更する際には筐体まるごと交換しなければならなかったので、遊技内容を変更するための台交換の際、遊技を担当しないホッパーユニット等も同時に交換されることとなり、交換に要する費用がかかるだけでなく、資源の無駄となっていたという問題点があった。かかる問題を解決すべく、分離型スロットマシンが考案された（特許文献１参照）。そして、分離型スロットマシンのうち、交換するための交換ユニットを具体的に特定し、真に交換が必要な交換ユニットを提供すべく、改良発明もなされている（特願２００２−１５６６２６など）。これは、スロットマシンのうち、主として遊技性に関わる部分、すなわちリールユニット及び主基板等の制御装置を交換ユニットとして一体的取り扱い可能とし、最低限この交換ユニットを交換することにより、全体を交換することなく、新しいスロットマシンで遊技しているかのような印象を与えることがかできる分離型スロットマシンを提供しようとするものである。
【０００３】
【特許文献１】
特開２００１−０９５９７３号公報
【０００４】
【発明が解決しようとする課題】
しかし、上記した従来の分離型スロットマシンにおいては、交換ユニットを交換する際、交換ユニットを一度で定位置に設置するのには熟練を要し、また、交換ユニットは固定の安定性の観点より、筐体内面にぴったりと嵌り込むように形成されているので、筐体内から交換ユニットを取り出すのが困難であった。
【０００５】
そこで各請求項にそれぞれ記載された各発明は、上記した従来の技術の有する問題点に鑑みてなされたものであり、その目的とするところは、交換ユニットの前後方向の位置を微調整できて位置決めが容易であり、かつ交換ユニットを取り出しやすい分離型スロットマシンを提供しようとするものである。
【０００６】
【課題を解決するための手段】
各請求項にそれぞれ記載された各発明は、上記した目的を達成するためになされたものであり、各発明の特徴点を図面に示した発明の実施の形態を用いて、以下に説明する。
なお、かっこ内の符号は、発明の実施の形態において用いた符号を示し、本発明の技術的範囲を限定するものではない。
【０００７】
（請求項１）
（特徴点）
請求項１記載の発明は、次の点を特徴とする。
すなわち、請求項１記載の発明は、正面側に開口する筺体ユニット（１）と、筐体ユニット（１）の開口部（１１）を開閉自在に塞ぐ前扉（３）と、複数の図柄が表示された回転リール（２３）及びこの回転リール（２３）を回転させるための駆動モータを有するリールユニット（２２）と、遊技メダルを払い出すための払い出し装置と、前記回転リール（２３）及び払い出し装置の作動を制御するための制御装置と、電源装置とを少なくとも有するスロットマシンである。
【０００８】
ここで、前記筐体ユニット（１）は、正面側に開口する方形状の箱体であり、開口部（１１）を上下二つの空間に仕切る仕切部材（例えば中板（１２））を有していてもよい。また、前記交換ユニット（２）を開口部（１１）内に支持するための支持部材（例えばガイドレール、支持枠、吊り下げ部材など）を有していてもよい。
前記前扉（３）は、筐体ユニット（１）の開口部（１１）を開塞自在に取り付けられており、扉を閉めるとスロットマシンの正面構造となるように形成されているものである。すなわち、回転リール（２３）の図柄を見ることができる表示窓（３１）や、スロットマシンを操作するための操作部（４１）等を設けることができるものである。なお、この前扉（３）は、筐体ユニット（１）に固定されていてもよいし、分離可能に形成されていてもよい。さらにまた、この前扉（３）は、上扉（３０）、下扉（４０）のように上下に二分割して形成することもできる。
【０００９】
前記リールユニット（２２）は、表面に複数の図柄が表示される回転リール（２３）を複数（例えば３個）有し、各回転リール（２３）の回転軸にはこれらを回転させるための駆動モータがそれぞれ設けられている。
前記払い出し装置としては、例えばホッパーユニット（５）等が挙げられるが、遊技メダルを払い出すことのできる装置であればよい。前記電源装置は、スロットマシンに電源を入れるためのものであり、電源基板や操作スイッチ等からなり、電源ユニット（４）として形成することができる。
【００１０】
また、前記制御装置としては、例えば配線基板に制御用電子部品一式が搭載されてなる電子基板（単に基板ということもある）等が挙げられるが、回転リール（２３）と払い出し装置の作動を制御することができる装置であればよい。スロットマシンでは、回転リールと払い出し装置の作動を制御することができる基板を、通常、主基板と称している。これは、回転リールと払い出し装置の作動以外、例えば画像表示装置や演出用リールや演出用のその他の表示装置などの演出用装置などを制御することができる基板として副基板を備えるようにした場合に、この副基板と区別するためである。
【００１１】
そして、本発明に係るスロットマシンは、少なくとも前記リールユニット（２２）及び制御装置を支持体に設置した交換ユニット（２）を、筐体ユニット（１）内部に着脱自在に形成した分離型スロットマシンである。なお、交換ユニット（２）には他の構成部品が含まれていてもよい。
前記交換ユニット（２）は、支持体及びリールユニット（２２）及び制御装置とから構成されており、前記筐体ユニット（１）の内部に収納可能であり、筐体ユニット（１）内部に載置あるいは吊り下げて支持固定されるものである。
【００１２】
また、前記支持体としては、例えば枠体（２１）が挙げられるが、リールユニット（２２）と制御装置を支持することができるものであればよい。支持体は、筐体内部にリールユニット（２２）等を固定するためのものであり、さらに、リールユニット（２２）及び制御装置を一体的に取り扱い可能とするものである。この支持体は、例えばクリップなどの固定装置（１０）により筐体ユニット（１）内部に固定されると共に、固定装置（１０）を解除することにより、筐体ユニット（１）から取り出し可能となっている。
【００１３】
さらに、本発明に係る分離型スロットマシンは、前記筐体ユニット（１）及び前記交換ユニット（２）に、交換ユニット（２）の前後方向の位置を調整するための位置調整手段（５０）を設け、この位置調整手段（５０）は、筐体ユニット（１）内側に設けられた筐体噛合手段（５１）と、交換ユニット（２）の支持体に設けられ前記筐体噛合手段（５１）に噛み合い可能な交換ユニット噛合手段（５２）とからなり、前記筐体噛合手段（５１）又は前記交換ユニット噛合手段（５２）のいずれかを回転させて、前記交換ユニット（２）を前後方向に移動可能に形成したことを特徴とする。
【００１４】
前記位置調整手段（５０）は、筐体ユニット（１）及び交換ユニット（２）にそれぞれ設けられた噛合手段である。ここで、「噛合手段」とは、凸部と凹部を有し、自己の凸部に相手の凹部を、又は自己の凹部に相手の凸部を噛み合わせ可能に形成したものであり、具体的にはネジ、歯車、ラックなどを含む。筐体噛合手段（５１）は、例えば筐体ユニット（１）の仕切部材（例えば中板（１２））の上面や、側板（１６）の内面などに設けることができる。また、交換ユニット噛合手段（５２）は、交換ユニット（２）を筐体ユニット（１）の内部に収納する際に、前記筐体噛合手段（５１）と噛み合い可能な位置、例えば支持体の底面、側面などに設けることができる。
【００１５】
そして、筐体噛合手段（５１）又は交換ユニット噛合手段（５２）は、どちらかが回転可能に形成されているとともに、回転により交換ユニット（２）の位置を前後方向に移動可能となるような手段であり、そのような位置に設けられている。すなわち、位置調整手段（５０）は、回転運動を直線運動に変換させるための手段であって、筐体噛合手段（５１）及び交換ユニット噛合手段（５２）は、ボルトとナット、歯車と歯車、ラックとピニオン、ウォームとウォームギヤなどの組み合わせとすることができる。そして、双方が噛み合った状態で一方を回転させることにより、他方が一方に対して移動し、この移動が交換ユニット（２）の前後方向の移動となるような位置に双方が取り付けられているものである。
【００１６】
（作用）
本発明によれば、交換ユニット（２）を筐体ユニット（１）に収納する際には、筐体噛合手段（５１）と交換ユニット噛合手段（５２）とが噛み合い可能な位置まで交換ユニット（２）を筐体内に移動させ、筐体噛合手段（５１）と交換ユニット噛合手段（５２）とを噛み合わせていずれかを回転させる。この回転により、筐体噛合手段（５１）に対して交換ユニット噛合手段（５２）が移動し、これに伴って交換ユニット（２）が奥行き方向に徐々に移動し、定位置に収納される。
【００１７】
また、交換ユニット（２）を筐体ユニット（１）から取り出す際には、筐体噛合手段（５１）又は交換ユニット噛合手段（５２）のいずれかを、収納時とは反対方向に回転させる。この回転により、筐体噛合手段（５１）に対して交換ユニット噛合手段（５２）が移動し、これに伴って交換ユニット（２）が定位置から徐々に手前側に移動する。すると、筐体ユニット（１）と交換ユニット（２）の支持体との間に間隙が生じ、この間隙に手指を引っかけるなどして交換ユニット（２）を引き出すことができる。
【００１８】
（請求項２）
（特徴点）
請求項２記載の発明は、上記した請求項１記載の発明の特徴点に加え、次の点を特徴とする。
すなわち、請求項２記載の発明は、前記筐体ユニット（１）は、前記交換ユニット（２）を下方から支持する載置手段を有し、前記交換ユニット（２）下面には、前記載置手段の上面に接触し交換ユニットを支持するとともに前後方向の移動を補助するためのガイド手段を有し、前記位置調整手段（５０）は、正面側から回転操作可能に形成されていることを特徴とする。
【００１９】
本発明は、交換ユニット（２）を載置手段に載せて筐体内に支持し、この載置手段の上を前後方向に移動させることにより交換ユニット２の脱着作業を行うようにした分離型スロットマシンに係る。
ここで、「載置手段」としては、筐体ユニット（１）の開口部（１１）を仕切る中板（１２）などの板材の他に、交換ユニット２の重量を下方から支持可能な枠材、ガイドレール、台なども含む。
【００２０】
また、前記「ガイド手段」は、交換ユニット（２）を前後に移動させる際、交換ユニット２の重量を支えることができると共に、支持体と載置手段との間の摩擦抵抗を少なくし、移動を容易にさせるための手段とするのが好ましく、例えばローラ部材やころ、ベアリングなどとすることができる。また、「ガイド手段」は、複数設けるのが好ましく、例えば支持体底面の後隅部や中央部などに設けてもよい。
【００２１】
そして、本発明においては、位置調整手段（５０）による位置調整作業は、スロットマシンの正面側から行うことができるように形成されている。すなわち、筐体噛合手段（５１）又は交換ユニット噛合手段（５２）のうちの少なくとも回転可能に形成された方が、正面側から操作可能な位置に取り付けられているものである。例えば、支持体や載置手段の正面側に、回転させるためのつまみや溝や孔などが露出しているものとすることができる。
【００２２】
（作用）
本発明によれば、交換ユニット（２）を脱着する際、ガイド手段があることにより前後方向の移動がより容易に行えるとともに、位置調整手段（５０）の回転操作による前後方向の移動もスムースに行うことができる。また、回転操作も正面側から行えるので、交換ユニット（２）の進退具合を確認しながら微調整を行うことができる。
【００２３】
【発明の実施の形態】
本発明の実施の形態を図面に基づき説明する。
（図面の説明）
図１乃至図１２は、本発明の実施の形態を示すものである。
図１及び図２は分離型スロットマシンを示す分解斜視図、図３はスロットマシンの縦断面図、図４及び図８は交換ユニットと筐体ユニットの斜視図、図５及び図９は位置調整手段の拡大断面図、図６及び図７は交換ユニット噛合手段の斜視図を示す。また、図１０乃至図１２は位置調整手段の他の例を示す拡大断面図である。
【００２４】
本実施の形態における分離型スロットマシンＳは、図１に示すように、大きく分けて、正面側に開口部１１を有する筐体ユニット１、筐体ユニット１内部に着脱自在に設けられる交換ユニット２、筐体ユニット１の開口上部１３を開閉可能に塞ぐ上扉３０、筐体ユニット１の開口下部１４を開閉可能に塞ぐ下扉４０とから構成されている。
【００２５】
なお、本実施の形態においては、前扉３を上下二分割されているものとしたが、前扉３が一体に形成されているものであってもよい。
（筐体ユニット１）
筐体ユニット１は、底板１５及び側板１６及び天板及び裏板からなる正面側に開口する筺体であり、高さ方向略中央部には、二つの側板１６の間に水平方向に中板１２が設けられている。ここで、中板１２は、開口部１１を上下に仕切るとともに、後述する交換ユニット２を筐体内部に支持する載置手段としての役割を果たすものである。そして、この中板１２の下面には電源ユニット４が設けられ、底板１５にはホッパーユニット５が固定されている。
【００２６】
前記電源ユニット４は、中板１２の下面に、取り付け板等を介して取り付けられており、特に図示しないが電源装置が内装されていると共に、遊技店側が種々の設定を行うためのスイッチ等を有している。
上記電源ユニット４及びホッパーユニット５は、交換ユニット２の交換に際し、必ずしも交換する必要のないものであり、交換時には設置されたままにしておけるようになっているものである。
【００２７】
なお、本実施の形態においては、メダルを貯留すると共にメダルを払い出す払い出し装置としてホッパーユニット５を有するスロットマシンとしたが、遊技メダルを払い出すことのできる装置であれば、ホッパーユニット５以外の装置が代わりに設けられていてもよい。
また、側板１６の正面左側の上部には、上扉３０を係合させ、回転自在に支持するための筐体係合部６１が、側板１６の正面左側の下部には、下扉４０を係合させ、回転自在に支持するための筐体係合部６２が、上下方向に間隔をおいてそれぞれ二つずつ設けられている。
【００２８】
さらに、筐体係合部６１、６２の対向側の側板１６には、上扉３０及び下扉４０を閉めた際、上扉３０及び下扉４０をロックするための突出片９０（ロック機構７）が、上下方向に間隔をおいて二つずつ設けられている。
そして、前記中板１２の手前側には、筐体噛合手段５１としての固定ネジ５３が設けられているが、これについては後述する。
【００２９】
（交換ユニット２）
交換ユニット２は、種々の部品を設置あるいは固定するための支持体としての枠体２１と、この枠体２１に固定されたリールユニット２２及び基板ユニット２４とから形成されている。
枠体２１は、リールユニット２２及び基板ユニット２４を設置可能な箱形の金属枠であり、底面後端部には、交換ユニット２の脱着時にその重量を支持し、前後方向に移動させる際の摩擦抵抗を軽減するためのガイドローラ２９が設けられている。なお、支持体としては枠体２１に限られず、リールユニット２２及び基板ユニット２４等の機器を設置することが可能な強度を有する構造体であればよい。
【００３０】
ここで、リールユニット２２は、周囲に複数の図柄を表示した複数の回転リール２３と、特に図示しないが、回転リール２３を回転させるための駆動モータを有している。また、前記基板ユニット２４には、遊技及びスロットマシンの作動を制御するための主基板と、各種演出を行うための副基板が含まれている。前記主基板及び副基板は、スロットマシンの制御装置として機能する。
【００３１】
交換ユニット２は、筐体ユニット１の中板１２の上に乗せ、開口上部１３内部に収納されるものである。そして、固定装置１０により筐体ユニット１に固着される。
さらに、交換ユニット２の正面側下方の左右両端部には、交換ユニット噛合手段５２としての回転ネジ５４が設けられているが、これについては後述する。
（上扉３０）
上扉３０は、筐体ユニット１の開口上部１３を塞ぐための板状の扉であり、筐体ユニット１の側板１６に回転自在かつロック可能に形成されている。そして、略中央部に前記回転リール２３の図柄を正面側から見ることができる表示窓３１を有し、周囲に飾り部３３や種々の表示を行うための表示装置３２が設けられているものである。
【００３２】
ここで、前記飾り部３３は、ランプ等により形成しても良く、入賞の報知その他の演出時にランプが点滅するようにしてもよい。また、前記表示装置３２は、７セグメントＬＥＤ等により数字を表示するものや、特に図示しないが、画像を表示するための液晶画面あるいはＣＲＴなどとしてもよい。
さらに、図２に示すように、上扉３０の裏面には、前記筐体係合部６１に係合可能な上扉係合部６３が上下方向に間隔をおいて二つ設けられており、上扉係合部６３の対向側には、ロック機構７が設けられている。ロック機構７は、筐体ユニット１に設けられた突出片９０に係止可能な鉤状の係止片を有するラッチ機構などにより構成されており、特に図示しないが解錠手段の操作により突出片９０との係止が外れ開扉することができるとともに、扉を閉めれば自動的にロックされるように形成されている。また、上扉３０の裏面上部の左右には、種々の音声を出力するためのスピーカ３５が設けられている。
【００３３】
ところで、上扉３０は、交換ユニット２と一体的に形成することもできる。この場合、交換ユニット２の枠体２１に前記上扉係合部６３に係合可能な枠体係合部を設ければよい。そして、交換ユニット２を筐体ユニット１内部に固定し、上扉３０をロックすることにより、上扉３０が筐体ユニット１の開口上部１３を閉塞するように形成するものである。いわゆる台交換の際には、遊技内容の変更に伴い、例えば回転リール２３の数を変更したり、表示装置３２の種類を変更する場合もあり、このようなときには上扉３０の形状も変える必要があるので、上扉３０と交換ユニット２は同時に交換される頻度が高い。このように形成すれば、搬送時、取り付け時において、上扉３０と交換ユニット２を一体にして扱うことができ、上扉３０と交換ユニット２を同時に取り外し又は取り付けできるので、作業の手間を省くことができる。
【００３４】
（下扉４０）
下扉４０は、筐体ユニット１の開口下部１４を塞ぐための、上扉３０よりも幅厚の扉であり、筐体ユニット１の側板１６に回転自在かつロック可能に形成されているものである。
下扉４０の上部は、スロットマシンを作動させるための操作部４１となっており、下扉４０の上面は、閉扉時においては、上扉３０よりも前側に突出するようになっている。また、下部には払い出されたメダルを貯めておくためのメダル受け４３が形成されており、下扉４０の略中央部には、遊技内容その他の表示をするための前パネルが嵌め込まれている。
【００３５】
前記操作部４１としては、下扉４０の上面右端にはメダル投入口４２及び上面左側に設けられたベットスイッチ、正面側にはスタートスイッチ及びストップスイッチ及び鍵穴４４が設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０のロックが解除されるものである。
【００３６】
さらに、図２に示すように、下扉４０の裏面側には、前記メダル投入口４２から投入されたメダルを誘導しながらメダルの正偽を判断するためのメダルセレクター４５が設けられている。
また、下扉４０の裏面には、前記筐体係合部６２と係合可能な下扉係合部６４が上下方向に間隔をおいて二つ設けられており、下扉係合部６４の対向側には、ロック機構７が設けられている。ロック機構７の構成は、上扉３０のものと基本的には同様である。そして、下扉４０を解錠して開けないと上扉３０の解錠手段が操作できないようになっている。
【００３７】
（位置調整手段５０）
次に、位置調整手段５０の詳細を、図３乃至図７に基づき説明する。
位置調整手段５０は、図３に示すように、筐体ユニット１の中板１２の手前側に設けられた筐体噛合手段５１と、交換ユニット２の枠体２１の底面板２５正面側から下方に折れ曲がった垂下片２６に設けられた交換ユニット噛合手段５２とから成る。この筐体噛合手段５１及び交換ユニット噛合手段５２とは、交換ユニット２の定位置の手前で当接し、交換ユニット噛合手段５２を回転させて筐体噛合手段５１及び交換ユニット噛合手段５２とを噛み合わせることにより、交換ユニット２の前後方向の位置調整が可能に形成されているものである。
【００３８】
前記筐体噛合手段５１は、図４及び図５に示すように、中板１２の手前側左右端部に形成された取り付け溝１８に埋め込まれた固定ネジ５３である。固定ネジ５３は、図５に示すように、ネジ部５３ｂが固定部５３ａを介して取り付け溝１８内に固定されているものである。また、ネジ部５３ｂは、中板１２の上面よりも若干上方に突出している。
【００３９】
前記交換ユニット噛合手段５２は、枠体２１の垂下片２６に奥行き方向に向かって取り付けられた回転ネジ５４である。回転ネジ５４は、図５及び図６に示すように、つまみ５４ａとネジ部５４ｂを有する蝶ボルトであり、垂下片２６に回転可能に取り付けられている。すなわち、つまみ５４ａが垂下片２６の正面側に突出し、ネジ部５４ｂが垂下片２６の背面側であって底面板２５の下面側に位置すると共に、つまみ５４ａとネジ部５４ｂとの間のくびれ部分が垂下片２６に設けた孔を貫通して、回転ネジ５４が垂下片２６から抜け落ちないようにかつ回転可能に形成されているものである。そして、ネジ部５４ｂは、前記固定ネジ５３のネジ部５３ｂのピッチと同じに形成されており、回転ネジ５４は、交換ユニット２を筐体ユニット１に収納したとき、固定ネジ５３と丁度噛み合うような位置に取り付けられている。
【００４０】
なお、回転ネジ５４を、図７に示すように形成してもよい。これは、ネジ部５４ｂに六角形の角穴５４ｃを有する頭部を設け、角穴５４ｃに工具Ｐ（例えばＬ字型の六角レンチ）を挿入して回転させるようにしたものである。このような構成では、交換ユニットの取り付け取り外し時に工具が必要であり、また左右の回転ネジ５４を同時に回転させにくいという難点があるが、ボルトの頭部を比較的小さく形成することができるので枠体２１からの突出部分が小さくでき、交換ユニット２の取り扱いの際に突出部分が何かに引っかかるトラブルが少ないという利点がある。
【００４１】
次に、位置調整手段５０の作用について説明する。
まず、交換ユニット２を筐体ユニット１に収納する場合には、中板１２に交換ユニット２の後端部を載せ、正面側から枠体２１を奥方向に押し込んでいく。そして、定位置の少し手前で、回転ネジ５４のネジ部５４ｂが固定ネジ５３のネジ部５３ｂに当接する（図５（Ａ）参照）。ここで回転ネジ５４のつまみ５４ａを、ネジが締まる方向（右回り）に回すと、ネジ部５４ｂとネジ部５３ｂとが噛み合い、回転に伴って固定ネジ５３に対して回転ネジ５４が奥方向に移動していく。このとき、枠体２１の底面後部に設けたガイドローラ２９により、中板１２との間の摩擦抵抗が軽減されているので、比較的小さな力でも交換ユニット２は移動可能であり、ネジを回すだけでも容易に移動するのである。これにより、交換ユニット２は少しずつ奥方向に移動し定位置へと誘導されることとなる。そして垂下片２６が中板１２の端部に当接すれば交換ユニット２が定位置に設置されるものである（図５（Ｂ）参照）。この後、固定装置１０により、交換ユニット２を筐体内部に固定する。一方、交換ユニット２を筐体ユニット１から取り出す場合には、回転ネジ５４のつまみ５４ａを、ネジが緩む方向（左回り）に回すことにより、固定ネジ５３に対して回転ネジ５４が手前側に移動していく。これにより、交換ユニット２は定位置から少しずつ手前側に移動することとなる。そして、ネジ部５４ｂとネジ部５３ｂとの噛み合いが外れたときには、筐体ユニット１と枠体２１の間に隙間が生じるため、この隙間に指を入れて交換ユニット２を引き出すことができる。
【００４２】
このように、定位置の少し手前からネジを噛み合わせることにより位置決めを行うことができるので、交換ユニット２を真っ直ぐに挿入できなかった場合でも、回転ネジ５４を回転させることにより微調整を行うことができる。また、ネジの回転で交換ユニット２を徐々に前進させることから、勢いよく押し込んで指を挟まれるなどの危険も少ない。そして、回転ネジ５４は交換ユニット２の正面側に突出しているので、交換ユニット２の進退状況を確認しながら回転操作を行うことができ、確実な位置決めを行うのに好都合である。さらに、交換ユニット２を少し手前に移動させてから取り出すことができるため、手掛かりができて力を入れやすく、交換作業が容易に行えるようになるものである。
【００４３】
なお、図３に示すように、枠体２１の底面前方寄りにもガイドローラ２９を設けることにより、交換ユニット２の重量が位置調整手段５０のネジ部に集中してネジ山が破損するなどのトラブルを防止することができる。
（位置調整手段５０の他の形態）
ところで、位置調整手段５０としては、上記したものに限られず、以下のように形成することができる。
【００４４】
例えば、図８又は図９に示すように、筐体噛合手段５１（固定ネジ５３）を筐体ユニット１の側板１６に設け、交換ユニット噛合手段５２（回転ネジ５４）を交換ユニット２の枠体２１の正面側縦枠部分に設けることができる。
前記固定ネジ５３は、図８に示すように、側板１６の中板１２よりも若干上方の手前側に形成した取り付け溝１９に埋め込まれており、図９に示すように、そのネジ部が側板１６の内面よりも若干内側に突出している。一方、回転ネジ５４は、枠体２１の側面板２７の正面側下方に設けた取り付け板２８を介して、奥行き方向に向かって取り付けられている。回転ネジ５４のネジ部５４ｂは、側面板２７に形成された切り欠き部２７ａ内に位置し、枠体２１の側面よりも若干外側に突出し、交換ユニット２を筐体内に収納したとき、丁度固定ネジ５３の噛み合うようになっている。また、回転ネジ５４のつまみ５４ａは取り付け板２８の正面側に突出し、つまみ５４ａとネジ部５４ｂとの間のくびれ部分が取り付け板２８に設けた孔を貫通して、回転ネジ５４が取り付け板２８から抜け落ちないようにかつ回転可能に形成されている。
【００４５】
このように形成した場合にも、前述した実施形態と同様に、ネジの噛み合いにより交換ユニット２の位置調整ができるものである。
また、図１０に示すように、筐体噛合手段５１としてウォームネジ５６、交換ユニット噛合手段５２としてラック５５を用いてもよい。
ウォームネジ５６は、中板１２の正面側に形成した取り付け溝１８内に埋め込まれており、角穴５６ｃを有する頭部が中板１２の正面側端面に露出している。そして、この角穴５６ｃに六角レンチなどの工具Ｐを差し込んで、取り付け溝１８内において回転させることができるようになっている。ラック５５は、交換ユニット２の枠体２１の底面板２５の裏面に取り付けられたはす歯ラックであり、ウォームネジ５６と噛み合うように形成されている。
【００４６】
交換ユニット２を筐体ユニット１に取り付ける際には、まず枠体２１の後端部を中板１２に載せ、枠体２１の前方を両手で支持したまま奥方向に押し込む。そして、交換ユニット２全体が開口上部１３に収納される少し手前で枠体２１の前方を下ろすと、ラック５５がウォームネジ５６の上に載り、歯の部分とネジ部が噛み合う（図１０（Ａ）参照）。ここで、工具Ｐを用いてウォームネジ５６をネジが締まる方向に回転させれば、ラック５５の歯はネジ部を奥方向に移動していく。これにより、交換ユニット２は少しずつ奥方向に移動し定位置へと誘導されることとなる。なお、定位置に移動したかどうかの確認は、例えば筐体ユニット１の裏板と交換ユニット２の背面との間にストッパーを設け、これに当接したら定位置に達したものとすることができる。
【００４７】
交換ユニット２を筐体ユニット１から取り出す際には、ウォームネジ５６を逆方向に回転させれば、ラック５５の歯はネジ部を手前側に移動してくる。これにより、交換ユニット２は少しずつ手前に移動し、筐体ユニット１と枠体２１との間に、交換ユニット２を引き出すための手掛かりとなる間隙を生じさせることができるものである。
【００４８】
さらに、上記した例とは逆に、筐体噛合手段５１としてラック５５、交換ユニット噛合手段５２としてウォームネジ５６を用いてもよい。この場合には、図１１に示すように、ウォームネジ５６は、つまみ５６ａによりネジ部５６ｂを回転可能に形成し、中板１２の前端部に取り付けたラック５５との噛み合いにより交換ユニット２の位置決めを行う。また、図１２に示すように、交換ユニット噛合手段５２を、枠体２１の前面下部の垂下片２６に設けた回転ネジ５４とし、筐体噛合手段５１を、中板１２の上面前端部に埋め込んだ半ナット５７としてもよい。
【００４９】
なお、上述の実施の形態に置いては、交換ユニット２を中板１２に載置するような構成としたが、中板１２を設けず、交換ユニット２を筐体内に取り付けた支持手段（例えば載置枠、吊り下げ部材など）により開口部１１内に収納するようにしてもよい。
【００５０】
【発明の効果】
本発明は、以上のように構成されているので、以下に記載されるような効果を奏する。
すなわち、本発明によれば、交換ユニットの前後方向の位置を微調整できて位置決めが容易であり、かつ交換ユニットを取り出しやすい分離型スロットマシンを提供することができる。
【図面の簡単な説明】
【図１】本発明の実施の形態であって、分離型スロットマシンの分解斜視図である。
【図２】本発明の実施の形態であって、分離型スロットマシンの、本体から前扉３を外した分解斜視図である。
【図３】本発明の実施の形態であって、分離型スロットマシンの縦断面図である。
【図４】本発明の他の実施の形態であって、交換ユニットと筐体ユニットを示す斜視図である。
【図５】本発明の実施の形態であって、位置調整手段を示す断面図である。
【図６】本発明の実施の形態であって、交換ユニット噛合手段を示す斜視図である。
【図７】本発明の実施の形態であって、交換ユニット噛合手段の他の例を示す斜視図である。
【図８】本発明の他の実施の形態であって、交換ユニットと筐体ユニットを示す斜視図である。
【図９】本発明の他の実施の形態であって、位置調整手段を示す断面図である。
【図１０】本発明の他の実施の形態であって、位置調整手段を示す断面図である。
【図１１】本発明の他の実施の形態であって、位置調整手段を示す断面図である。
【図１２】本発明の他の実施の形態であって、位置調整手段を示す断面図である。
【符号の説明】
Ｓ  分離型スロットマシン
１  筐体ユニット
１０  固定装置                    １１  開口部
１２  中板                        １３  開口上部
１４  開口下部                    １５  底板
１６  側板                        １８  取り付け溝
１９  取り付け溝
２  交換ユニット
２１  枠体                        ２２  リールユニット
２３  回転リール                  ２４  基板ユニット
２５  底面板                      ２６  垂下片
２７  側面板                      ２８  取り付け板
２９  ガイドローラ
３  前扉
３０  上扉                        ３１  表示窓
３２  表示装置                    ３３  飾り部
３５  スピーカ
４０  下扉                        ４１  操作部
４２  メダル投入口                ４３  メダル受け
４４  鍵穴                        ４５  メダルセレクター
５０  位置調整手段                ５１  筐体噛合手段
５２  交換ユニット噛合手段        ５３  固定ネジ
５４  回転ネジ                    ５５  ラック
５６  ウォームネジ                ５７  半ナット
６１  筐体係合部                  ６２  筐体係合部
６３  上扉係合部                  ６４  下扉係合部
７  ロック機構
４  電源ユニット                ５  ホッパーユニット
９０  突出片
【図１】
2004229768.tif 000003
【図２】
2004229768.tif 000004
【図３】
2004229768.tif 000005
【図４】
2004229768.tif 000006
【図５】
2004229768.tif 000007
【図６】
2004229768.tif 000008
【図７】
2004229768.tif 000009
【図８】
2004229768.tif 000010
【図９】
2004229768.tif 000011
【図１０】
2004229768.tif 000012
【図１１】
2004229768.tif 000013
【図１２】
2004229768.tif 000014